(57)【要約】【課題】ＰＤからＦＤへの電荷の漏れ出しを抑止する。【解決手段】本技術の一側面である固体撮像装置は、駆動制御部が、共有保持部を共有する複数の光電変換部のうち、電荷の読み出し対象とする選択光電変換部から共有保持部に前記電荷を読み出す場合、前記選択光電変換部に対応する前記読み出し部に対して第１のパルスを印可するとともに、前記共有保持部と容量結合する部位に対して、前記第１のパルスとは逆極性であって、且つ、パルス期間が前記第１のパルスのパルス期間の少なくとも一部と重複する第２のパルスを印可する。本技術は、例えば、裏面照射型CMOSイメージセンサに適用できる。【選択図】図６
2018093392.tif 000002
【特許請求の範囲】
【請求項１】
入射光に応じた光電変換によって電荷を発生し、発生した前記電荷を一時的に蓄える光電変換部と、
前記光電変換部毎に設けられ、前記光電変換部に一時的に蓄積されている前記電荷を読み出す読み出し部と、
前記読み出し部に対して駆動パルスを印可する駆動制御部と、
前記読み出し部によって前記光電変換部から読み出された前記電荷を保持する、複数の前記光電変換部によって共有される共有保持部とを備え、
前記駆動制御部は、前記共有保持部を共有する複数の光電変換部のうち、前記電荷の読み出し対象とする選択光電変換部から前記共有保持部に前記電荷を読み出す場合、
前記選択光電変換部に対応する前記読み出し部に対して第１のパルスを印可するとともに、
前記共有保持部と容量結合する部位に対して、前記第１のパルスとは逆極性であって、且つ、パルス期間が前記第１のパルスのパルス期間の少なくとも一部と重複する第２のパルスを印可する
固体撮像装置。
【請求項２】
前記共有保持部を所定の電圧に設定するリセット部と、
前記共有保持部の信号電荷を信号電圧として伝送する信号線とをさらに備え、
前記駆動制御部は、前記共有保持部を共有する複数の光電変換部のうちの前記選択光電変換部から前記共有保持部に前記電荷を読み出す場合、
前記選択光電変換部に対応する前記読み出し部に対して第１のパルスを印可するとともに、
前記共有保持部を共有する前記複数の光電変換部のうちの前記選択光電変換部以外のものに対応する前記読み出し部、前記リセット部、または、前記信号線のうちの少なくとも一つに対して前記第２のパルスを印可する
請求項１に記載の固体撮像装置。
【請求項３】
前記第２のパルスは、前記第１のパルスとは逆極性であって、且つ、パルス期間が前記第１のパルスのパルス期間と一致する
請求項１に記載の固体撮像装置。
【請求項４】
前記第２のパルスは、前記第１のパルスとは逆極性であって、且つ、パルス期間が前記第１のパルスのパルス期間を包含する
請求項１に記載の固体撮像装置。
【請求項５】
前記第２のパルスは、前記第１のパルスとは逆極性であって、且つ、パルス期間がＰ相データ確定タイミングからＤ相データ確定タイミングまでの期間を包含する
請求項１に記載の固体撮像装置。
【請求項６】
前記共有保持部は、露光環境が異なる複数の光電変換部により共有される
請求項１に記載の固体撮像装置。
【請求項７】
露光環境が異なる複数の光電変換部は、露光量が多い光電変換部から順に前記電荷が前記共有保持部に読み出される
請求項６に記載の固体撮像装置。
【請求項８】
入射光に応じた光電変換によって電荷を発生し、発生した前記電荷を一時的に蓄える光電変換部と、
前記光電変換部毎に設けられ、前記光電変換部に一時的に蓄積されている前記電荷を読み出す読み出し部と、
前記読み出し部に対して駆動パルスを印可する駆動制御部と、
前記読み出し部によって前記光電変換部から読み出された前記電荷を保持する、複数の前記光電変換部によって共有される共有保持部とを備える固体撮像装置の駆動方法において、
前記共有保持部を共有する複数の光電変換部のうち、前記電荷の読み出し対象とする選択光電変換部から前記共有保持部に前記電荷を読み出す場合、
前記駆動制御部による、
前記選択光電変換部に対応する前記読み出し部に対して第１のパルスを印可するとともに、
前記共有保持部と容量結合する部位に対して、前記第１のパルスとは逆極性であって、且つ、パルス期間が前記第１のパルスのパルス期間の少なくとも一部と重複する第２のパルスを印可する
駆動方法。
【請求項９】
固体撮像装置が搭載された電子機器において、
前記固体撮像装置は、
入射光に応じた光電変換によって電荷を発生し、発生した前記電荷を一時的に蓄える光電変換部と、
前記光電変換部毎に設けられ、前記光電変換部に一時的に蓄積されている前記電荷を読み出す読み出し部と、
前記読み出し部に対して駆動パルスを印可する駆動制御部と、
前記読み出し部によって前記光電変換部から読み出された前記電荷を保持する、複数の前記光電変換部によって共有される共有保持部とを備え、
前記駆動制御部は、前記共有保持部を共有する複数の光電変換部のうち、前記電荷の読み出し対象とする選択光電変換部から前記共有保持部に前記電荷を読み出す場合、
前記選択光電変換部に対応する前記読み出し部に対して第１のパルスを印可するとともに、
前記共有保持部と容量結合する部位に対して、前記第１のパルスとは逆極性であって、且つ、パルス期間が前記第１のパルスのパルス期間の少なくとも一部と重複する第２のパルスを印可する
電子機器。
【発明の詳細な説明】
【技術分野】
【０００１】
本技術は、固体撮像装置、駆動方法、および電子機器に関し、特に、複数の画素でＦＤ（フローティングディフュージョン）を共有する場合に用いて好適な固体撮像装置、駆動方法、および電子機器に関する。
【背景技術】
【０００２】
従来、複数の画素でＦＤを共有する固体撮像装置の構成が知られている（例えば、特許文献１参照）。
【０００３】
図１は、２画素でＦＤを共有する固体撮像装置の構成の一例を示す等価回路図である。図２は、ベイヤ配列に従って並べられた４画素でＦＤを共有する固体撮像装置の構成の一例を示す上面図である。
【０００４】
図１に示された固体撮像装置は、ＰＤ１１−１およびＰＤ１１−２、読出しゲート１２−１および読出しゲート１２−２、ＦＤ１３、アンプゲート１４、選択ゲート１５、およびリセットゲート１７を有する。さらに、固体撮像装置は、各読出しゲート１２や選択ゲート１５、リセットゲート１７に対してそれぞれを駆動させるための電圧を印可する駆動制御部（不図示）を有する。
【０００５】
ＰＤ１１−１およびＰＤ１１−２は、光電変換により入射光に応じて電荷を発生、蓄積する。読出しゲート１２−１は、ＰＤ１１−１に蓄積された電荷をＦＤ１３に読み出す。読出しゲート１２−２についても同様である。ＦＤ１３は、ＰＤ１１−１等から読み出された電荷を保持する。アンプゲート１４は、ＦＤ１３に保持されている電荷を電圧信号に変化して選択ゲート１５に出力する。選択ゲート１５は、アンプゲート１４から入力される電圧信号を、信号線１６を介して後段に出力する。リセットゲート１７は、ＦＤ１３に保持されている電荷を排出（リセット）する。
【０００６】
図１の固体撮像装置において、ＰＤ１１−１にて光電変換により発生、蓄積された電荷を読み出す場合、選択ゲート１５をオンとしてから、リセットゲート１７をオンとしてＦＤ１３をリセットした後、読出しゲート１２−１をオンとして（ポテンシャルを上げて）ＰＤ１１−１から電荷をＦＤ１３に読み出し、読出しゲート１２−１をオフとして、ＦＤ１３に電荷を保持し、アンプゲート１４を介してＦＤ１３の電荷を電圧信号として信号線１６から後段に出力する。この後、選択ゲート１５をオフとする。
【０００７】
次に、ＰＤ１１−２にて光電変換により発生、蓄積された電荷を読み出す場合、選択ゲート１５をオンとしてから、リセットゲート１７をオンとしてＦＤ１３をリセットした後、読出しゲート１２−２をオンとしてＰＤ１１−２から電荷をＦＤ１３に読み出し、読出しゲート１２−２をオフとして、ＦＤ１３に電荷を保持し、アンプゲート１４を介してＦＤ１３の電荷を電圧信号として信号線１６から後段に出力する。この後、選択ゲート１５をオフとする。
【０００８】
なお、露光期間においてＰＤ１１−１にて発生した過剰電荷(画素の飽和を超えるBlooming電荷)の全てまたは一部が、読出しゲート１２−１を介してＦＤ１３に流出し、リセットゲート１７を経て排出される。同様に、ＰＤ１１−２にて発生した過剰電荷は、読出しゲート１２−２を介してＦＤ１３に流出し、リセットゲート１７を経て排出される。したがって、図１の固体撮像装置は、電荷の読出し経路と過剰電荷排出経路がともにＦＤ１３を介することになる。
【先行技術文献】
【特許文献】
【０００９】
【特許文献１】特開２０１５−２６９３８号公報
【発明の概要】
【発明が解決しようとする課題】
【００１０】
図１に示された構成のように、電荷の読出し経路と過剰電荷排出経路がともにＦＤ１３を介する場合、以下の問題が生じ得る。
【００１１】
図３は、図１に示された構成のうち、ＰＤ１１−１およびＰＤ１１−２、読出しゲート１２−１および１２−２、並びにＦＤ１３の断面図（同図Ａ）と、そのポテンシャル（同図Ｂ）を示している。なお、同図においては、ＰＤ１１−１から電荷を読み出す場合を示しており、ＰＤ１１−１を選択画素、電荷を読み出されたＰＤ１１−２を非選択画素と記している。以下、ＰＤ１１−１およびＰＤ１１−２を個々に区別する必要がない場合、単にＰＤ１１と称する。読出しゲート１２−１および１２−２についても同様とする。
【００１２】
図４は、選択画素と非選択画素の読出しゲート１２に対する従来の印可電圧を示している。なお、図４において、TRG1は選択画素の読出しゲート１２に対する印可電圧、TRG2乃至TRG4は非選択画素の読出しゲート１２に対する印可電圧を表している。
【００１３】
通常、露光期間中は、読出しゲート１２に負電圧のＬバイアスが印加されている。読出しゲート１２下は、負電圧のLバイアスが印加されている状態でもＰＤ１１に生じた過剰電荷を排出できるように、基準電位(GND)よりも若干高い電位になるようにインプラチューニングされている。
【００１４】
そして、読出しゲート１２に対する負電圧の印加に伴い、界面にはHoleが誘導され安定電位になるPinning状態に維持されている。これにより、読出しゲート１２下にHoleを充満させ界面の空乏化を防止し、読出しゲート１２における暗電流が低減される。
【００１５】
ところで、図３Ａに示されるように、共有されているＦＤ１３は読出しゲート１２−１および１２−２との間で相互に容量結合が生じている。このため、選択画素のＰＤ１１−１から電荷を読み出すために、図４Ａに示されるように、選択画素の読出しゲート１２−１をオン（印可電圧をＬレベルからＨレベル）にし、非選択画素の読出しゲート１２−２をオフ（印可電圧を現状のまま維持）とする。ただし、選択画素の読出しゲート１２−１に対する印可電圧をＨレベルにしたことに連動し、容量結合が生じているＦＤ１３および読出しゲート１２−２に対する印可電圧も定常のＬレベルからＨレベルの方向に変動してしまう。
【００１６】
非選択画素の読出しゲート１２−２に対する印可電圧がＨレベルの方向に変動した場合、読出しゲート１２−２下、界面のHoleが排除されてPinning状態が崩れ、読出しゲート１２−２下電位が上昇し、このとき、ＰＤ１１−２が飽和レベルにあれば、その飽和電荷の一部がＦＤ１３に漏れ込むことになる。
【００１７】
例えば、図２に示されたように、ベイヤ配列を成す４画素でＦＤ１３を共有している場合において、４画素のうちの１つの選択画素のＰＤ１１から電荷を読み出すためには、図４Ｂに示されるように、選択画素の読出しゲート１２をオン（印可電圧をＬレベルからＨレベル）にし、その他の３つの非選択画素の読出しゲート１２をオフ（印可電圧を現状のまま維持）とする。この場合にも、ＦＤ１３および３つの非選択画素の読出しゲート１２−２乃至１２−４も定常のＬレベルからＨレベルの方向に変動して電位が上昇し、このとき、非選択画素のＰＤ１１が飽和レベルにあれば、その飽和電荷の一部がＦＤ１３に漏れ込むことになる。
【００１８】
図５は、ベイヤ配列を成す４画素でＦＤ１３を共有している場合における従来の光電変換特性を示している。なお、同図Ａは、横軸を、露光量を決める光の強度と露光時間のうち、光の強さを一定とした場合の露光時間とし、縦軸を信号量としたものである。同図Ｂは、横軸を、露光量を決める光の強度と露光時間のうち、露光時間を一定とした場合の光の強さとし、縦軸を信号量としたものである。
【００１９】
例えば、Ｇｒ，Ｒ，Ｂ，Ｇｂの４画素のうち、Ｇｒを選択画素とした場合、選択画素Ｇｒと非選択画素Ｇｂが飽和レベルにあると、非選択画素Ｇｂの飽和電荷の一部がＦＤ１３に漏れ込んでしまう。この結果、本来一致するはずのＧｒとＧｂの信号値に差が生じ、選択画素Ｇｒの信号量が本来の値よりも大きくなってしまう。
【００２０】
また、例えば、Ｇｒ，Ｒ，Ｂ，Ｇｂの４画素のうち、Ｂを選択画素とした場合、選択画素Ｇｂが飽和レベルにあると、非選択画素Ｇｂの飽和電荷の一部がＦＤ１３に漏れ込み、選択画素Ｂの信号量の線形性が劣化してしまう。
【００２１】
上述した例のように、非選択画素が飽和している場合、選択画素から電荷を読み出すときに、非選択画素の飽和電荷の一部がＦＤ１３に漏れ込んでしまい、画素の信号量が本来の値から離れてしまったり、線形性を失ってしまったりすることによって画質の低下を招いてしまうことになる。
【００２２】
本技術はこのような状況に鑑みてなされたものであり、複数の画素でＦＤを共有している場合においてＦＤと読出しゲート間の容量結合に起因して発生し得る、ＰＤからＦＤへの電荷の漏れ出しを抑止できるようにするものである。
【課題を解決するための手段】
【００２３】
本技術の第１の側面である固体撮像装置は、入射光に応じた光電変換によって電荷を発生し、発生した前記電荷を一時的に蓄える光電変換部と、前記光電変換部毎に設けられ、前記光電変換部に一時的に蓄積されている前記電荷を読み出す読み出し部と、前記読み出し部に対して駆動パルスを印可する駆動制御部と、前記読み出し部によって前記光電変換部から読み出された前記電荷を保持する、複数の前記光電変換部によって共有される共有保持部とを備え、前記駆動制御部は、前記共有保持部を共有する複数の光電変換部のうち、前記電荷の読み出し対象とする選択光電変換部から前記共有保持部に前記電荷を読み出す場合、前記選択光電変換部に対応する前記読み出し部に対して第１のパルスを印可するとともに、前記共有保持部と容量結合する部位に対して、前記第１のパルスとは逆極性であって、且つ、パルス期間が前記第１のパルスのパルス期間の少なくとも一部と重複する第２のパルスを印可する。
【００２４】
本技術の第１の側面である固体撮像装置は、前記共有保持部を所定の電圧に設定するリセット部と、前記共有保持部の信号電荷を信号電圧として伝送する信号線とをさらに備えることができ、前記駆動制御部は、前記共有保持部を共有する複数の光電変換部のうちの前記選択光電変換部から前記共有保持部に前記電荷を読み出す場合、前記選択光電変換部に対応する前記読み出し部に対して第１のパルスを印可するとともに、前記共有保持部を共有する前記複数の光電変換部のうちの前記選択光電変換部以外のものに対応する前記読み出し部、前記リセット部、または、前記信号線のうちの少なくとも一つに対して前記第２のパルスを印可することができる。
【００２５】
前記第２のパルスは、前記第１のパルスとは逆極性であって、且つ、パルス期間が前記第１のパルスのパルス期間と一致するようにすることができる。
【００２６】
前記第２のパルスは、前記第１のパルスとは逆極性であって、且つ、パルス期間が前記第１のパルスのパルス期間を包含するようにすることができる。
【００２７】
前記第２のパルスは、前記第１のパルスとは逆極性であって、且つ、パルス期間がＰ相データ確定タイミングからＤ相データ確定タイミングまでの期間を包含するようにすることができる。
【００２８】
前記共有保持部は、露光環境が異なる複数の光電変換部により共有することができる。
【００２９】
露光環境が異なる複数の光電変換部は、露光量が多いものから順に前記電荷が前記共有保持部に読み出されるようにすることができる。
【００３０】
本技術の第１の側面である駆動方法は、入射光に応じた光電変換によって電荷を発生し、発生した前記電荷を一時的に蓄える光電変換部と、前記光電変換部毎に設けられ、前記光電変換部に一時的に蓄積されている前記電荷を読み出す読み出し部と、前記読み出し部に対して駆動パルスを印可する駆動制御部と、前記読み出し部によって前記光電変換部から読み出された前記電荷を保持する、複数の前記光電変換部によって共有される共有保持部とを備える固体撮像装置の駆動方法において、前記共有保持部を共有する複数の光電変換部のうち、前記電荷の読み出し対象とする選択光電変換部から前記共有保持部に前記電荷を読み出す場合、前記駆動制御部による、前記選択光電変換部に対応する前記読み出し部に対して第１のパルスを印可するとともに、前記共有保持部と容量結合する部位に対して、前記第１のパルスとは逆極性であって、且つ、パルス期間が前記第１のパルスのパルス期間の少なくとも一部と重複する第２のパルスを印可する。
【００３１】
本技術の第２の側面である電子機器は、固体撮像装置が搭載された電子機器において、前記固体撮像装置が、入射光に応じた光電変換によって電荷を発生し、発生した前記電荷を一時的に蓄える光電変換部と、前記光電変換部毎に設けられ、前記光電変換部に一時的に蓄積されている前記電荷を読み出す読み出し部と、前記読み出し部に対して駆動パルスを印可する駆動制御部と、前記読み出し部によって前記光電変換部から読み出された前記電荷を保持する、複数の前記光電変換部によって共有される共有保持部とを備え、前記駆動制御部は、前記共有保持部を共有する複数の光電変換部のうち、前記電荷の読み出し対象とする選択光電変換部から前記共有保持部に前記電荷を読み出す場合、前記選択光電変換部に対応する前記読み出し部に対して第１のパルスを印可するとともに、前記共有保持部と容量結合する部位に対して、前記第１のパルスとは逆極性であって、且つ、パルス期間が前記第１のパルスのパルス期間の少なくとも一部と重複する第２のパルスを印可する。
【００３２】
本技術の第１および第２の側面においては、共有保持部を共有する複数の光電変換部のうち、電荷の読み出し対象とする選択光電変換部から前記共有保持部に前記電荷を読み出す場合、選択光電変換部に対応する読み出し部に対して第１のパルスが印可されるとともに、前記共有保持部と容量結合する部位に対して、前記第１のパルスとは逆極性であって、且つ、パルス期間が前記第１のパルスのパルス期間の少なくとも一部と重複する第２のパルスが印可される。
【発明の効果】
【００３３】
本技術の第１および第２の側面によれば、光電変換部から共有保持部への電荷の漏れ出しを抑止することができる。
【００３４】
また、本技術の第１および第２の側面によれば、画質の劣化を抑止することができる。
【図面の簡単な説明】
【００３５】
【図１】２画素でＦＤを共有する固体撮像装置の構成の一例を示す等価回路図である。
【図２】ベイヤ配列に従って並べられた４画素でＦＤを共有する固体撮像装置の構成の一例を示す上面図である。
【図３】図１に対応する断面とそれに対応するポテンシャルを示す図である。
【図４】読出しゲートに対する従来の印可電圧の制御を示す図である。
【図５】４画素でＦＤを共有している場合における従来の光電変換特性を示す図である。
【図６】第１の実施の形態における読出しゲートに対する印可電圧の制御を示す図である。
【図７】図６に対応するポテンシャルを示す図である。
【図８】４画素でＦＤを共有している場合の光電変換特性を示す図である。
【図９】第２の実施の形態における読出しゲートに対する印可電圧の制御を示す図である。
【図１０】図９に対応するポテンシャルを示す図である。
【図１１】本技術を適用した固体撮像装置の変形例を示す図である。
【図１２】本技術を適用した固体撮像装置の変形例を示す図である。
【図１３】本技術を適用した固体撮像装置の変形例を示す図である。
【図１４】本技術を適用した固体撮像装置の変形例を示す図である。
【図１５】体内情報取得システムの概略的な構成の一例を示すブロック図である。
【図１６】車両制御システムの概略的な構成の一例を示すブロック図である。
【図１７】車外情報検出部及び撮像部の設置位置の一例を示す説明図である。
【発明を実施するための形態】
【００３６】
以下、本技術を実施するための最良の形態（以下、実施の形態と称する）について、図面を参照しながら詳細に説明する。
【００３７】
＜１．第１の実施の形態＞
本技術の第１の実施の形態である固体撮像装置は、図１または図２に示された複数の画素でＦＤを共有する従来の固体撮像装置と同様に構成される。ただし、各ＰＤ１１に蓄積された電荷を読み出すための読出しゲート１１に対する印可電圧が従来の場合（図４）と異なる。また、図１には２画素でＦＤを共有する場合、図２には４画素でＦＤを共有する場合を図示したが、本技術の適用はこれらに限るものではなく、２画素以上でＦＤを共有するあらゆる場合に適用できる。
【００３８】
図６は、本技術の第１の実施の形態である固体撮像装置における、ＰＤ１１に蓄積されている電荷を読み出す選択画素と、ＰＤ１１に蓄積されている電荷を読み出さない非選択画素の読出しゲート１２に対する印可電圧を示している。なお、図６において、TRG1は選択画素の読出しゲート１２に対する印可電圧を、TRG2乃至TRG4は非選択画素の読出しゲート１２に対する印可電圧を表している。
【００３９】
図７は、本技術の第１の実施の形態である固体撮像装置の断面（同図Ａ）と、図６に対応するポテンシャル（同図Ｂ）を示している。
【００４０】
第１の実施の形態において選択画素のＰＤ１１−１から電荷を読み出す場合、図６Ａに示されるように、選択画素の読出しゲート１２−１をオン（印可電圧をＬレベルからＨレベル）にし、このタイミングに合わせて、非選択画素の読出しゲート１２−２に対しては相殺パルスを印可してその電圧をＬレベルからＬＬレベルに変化させる。
【００４１】
これにより、図７Ｂに示されるように、従来の場合において発生していた容量結合に起因する非選択画素の読出しゲート１２−２の変動が抑止されて、読出しゲート１２−２下のPinning状態が維持される。
【００４２】
読出しゲート１２−２下のPinning状態が維持されることにより、非選択画素の読出しゲート１２−２下電位の上昇が発生しないので、非選択画素の飽和電荷がＦＤ１３に漏れ出すことを抑止できる。
【００４３】
なお、選択画素の読出しゲート１２−１をオフ（印可電圧をＨレベルからＬレベル）にするタイミングに合わせて、非選択画素の読出しゲート１２−２に対しては印可電圧をＬＬレベルからＬレベルに戻ることにより、選択画素の読出しゲート１２−１をオフとしたことによる影響（読出しゲート１２−２およびＦＤ１３の変動）も抑止できる。
【００４４】
また、固体撮像装置が４画素でＦＤ１３を共有している場合には、図６Ｂに示されるように、４画素のうちの１つを選択画素とし、その他の３つを非選択画素として、それぞれの読出しゲート１２に対する印可電圧を制御すればよい。
【００４５】
図８は、固体撮像装置がベイヤ配列を成す４画素でＦＤ１３を共有している場合において、図６Ｂに示されたように印可電圧を制御したときの光電変換特性を示している。
【００４６】
図８と図５を比較して明らかなように、図８の場合、本来一致するはずのＧｒとＧｂの信号値が等しくなる。また、ＢやＲの信号値が露光量に応じて線形に変化するので、結果として画質の劣化を抑止できることが分かる。
【００４７】
ところで、非選択画素の読出しゲート１２−２に印可するＬＬレベルについては、デバイスのゲート酸化膜厚条件にもよるが、通常、読出しゲート１２に対して読み出し時に印可する電圧のＨレベルが、例えば２．７Ｖ程度である場合、露光期間におけるＬバイアスは−１．２Ｖ程度、ＬＬバイアスは−２Ｖ程度が見込まれる。
【００４８】
ＬＬバイアスとしてより低い負電圧(例えば−３Ｖ)を印加すれば、誘導に対しては効果を増すが、負電圧を印加した読出しゲート１２とＦＤ１３との電位差が大きくなりリーク性キズがＦＤ１３に発生してしまう。そのためＬＬバイアスには限界がある。
【００４９】
ただし、ＬＬバイアスの印加は、非選択画素の読出しゲート１２−２に限らず、共有されているＦＤ１３に隣接している電極から印可すれば、類似した変動抑止効果を得ることができるので、ＦＤリークが起きない範囲に抑えた振幅の相殺パルスをＦＤ１３に隣接している複数の電極から分散して印可してもよい。例えば、ＦＤが４画素で共有される場合、選択画素以外の３画素の読出しゲート１２から印可するようにしてもよい。また例えば、リセットゲート１７や信号線１６からＦＤリークが起きない範囲に抑えた振幅の相殺パルスを印可してもよい。リセットゲート１７に相殺パルスを印加した例は、図６ＢにRSTとして示されたとおりである。さらに、これらを組み合わせてもよい。
【００５０】
ここで、信号線１６から相殺パルスを印加する場合について説明する。図１に示されたように、ＦＤ１３はアンプゲート１４および選択ゲート１５を介して信号線１６に繋がっている。アンプゲート１４は、信号線１６側拡散層と容量結合している。選択画素のＰＤ１１から電荷を読出す場合、選択ゲート１５はオンとされているので、信号線１６に制御手段を設けて相殺パルスを印加すれば、ＦＤ１３の変動を抑止できる。なお、この制御手段は、例えば次の様に対応できる。すなわち、信号線１６は、通常、定電流源である負荷MOS(不図示)と繋がっているので、信号線１６に印可する相殺パルスは、該負荷MOSゲートを制御することにより発生させることができる。または、負荷MOSとは異なる制御Ｔｒ．を信号線１６に接続して、該制御Ｔｒ．によって信号線１６に相殺パルスを印可するようにしてもよい。
【００５１】
＜２．第２の実施の形態＞
次に、本技術の第２の実施の形態について説明する。本技術の第２の実施の形態である固体撮像装置は、第１の実施の形態と同様、図１または図２に示された複数の画素でＦＤを共有する従来の固体撮像装置と同様に構成される。ただし、各ＰＤ１１に蓄積された電荷を読み出すための読出しゲート１１に対する印可電圧が従来の場合（図４）および第１の実施形態の場合（図６）と異なる。
【００５２】
図９は、本技術の第２の実施の形態である固体撮像装置における、ＰＤ１１に蓄積されている電荷を読み出す選択画素と、ＰＤ１１に蓄積されている電荷を読み出さない非選択画素の読出しゲート１２に対する印可電圧を示している。なお、図９において、TRG1は選択画素の読出しゲート１２に対する印可電圧を、TRG2は非選択画素の読出しゲート１２に対する印可電圧を表している。
【００５３】
図１０は、図９に対応するPD１１−１、読出しゲート１２−１、ＦＤ１３、読出しゲート１２−２、およびＰＤ１１−２のポテンシャルを示している。
【００５４】
第２の実施の形態において、露光期間は各ＰＤ１１に電荷を蓄積させるため、各読出しゲート１２には負電圧のＬバイアスが印加されており、オーバーフローパスが開けられた状態となっている。これにより、図１０Ａに示されるように、既に飽和したＰＤ１１（同図の場合、ＰＤ１１−２）からは、過剰電荷がＦＤ１３に排出される。
【００５５】
露光期間後、選択画素のＰＤ１１−１から電荷を読み出す場合、図９に示されるように、Ｐ相データを確定するためにリセットゲート１７がオンとされてＦＤ１３がリセットされる。そして、選択画素の読出しゲート１２−１をオン（印可電圧をＬレベルからＨレベル）にする以前のタイミングであって、且つ、Ｐ相データの確立タイミングよりも以前に非選択画素の読出しゲート１２−２に対する印可電圧がＬレベルよりもさらに低いレベルに制御される。これにより、図１０Ｂに示されるように、ＰＤ１１−２からＦＤ１３に対するオーバーフローパスが閉じられる（オーバーフローマージンが増加される）。
【００５６】
この後、選択画素の読出しゲート１２−１がオン（印可電圧をＬレベルからＨレベル）とされる、これにより、図１０Ｃに示されるように、ＰＤ１１−１に蓄積されている電荷が読出しゲート１２−１を介してＦＤ１３に転送される。この後、選択画素の読出しゲート１２−１がオフ（印可電圧をＨレベルからＬレベル）とされてから、ＦＤ１３に保持された電荷が後段に転送されてＤ相データが確立される。
【００５７】
このＤ相データ確立タイミングの後、非選択画素の読出しゲート１２−２に対する印可電圧がＬレベルに戻される。これにより、図１０Ｄに示されるように、ＰＤ１１−２からＦＤ１３に対するオーバーフローパスが通常の状態（開けられた状態）に戻される。
【００５８】
以上に説明した読出しゲート１２に対する印可電圧の制御により、選択画素に蓄積されている電荷をＦＤ１３に読み出す際、非選択画素に蓄積されている電荷がＦＤ１３に漏れ出すことを抑止できるので、各画素の本来の信号量を確保することができ、結果として画像の劣化を抑止することが可能となる。
【００５９】
なお、３画素以上でＦＤを共有している場合、選択画素以外の全ての画素の読出しゲート１２に対して上述した制御を行ってもよいし、選択画素以外の画素の一部の画素の読出しゲート１２に対してのみ上述した制御を行ってもよい。
【００６０】
上述した説明における印可電圧の正負（ＨorＬ）についてＰＤがｎ型蓄積層の場合であり、ＰＤがｐ型蓄積層の場合においては印可電圧の正負を逆に制御すればよい。
【００６１】
＜変形例＞
次に、上述した第１および第２の実施の形態の変形例について説明する。
【００６２】
図１１に示す変形例は、ベイヤ配列に従って並べられた４画素でＦＤを共有し、４画素のうちの１画素（同図の場合、Ｇｒ）が像面位相差ＡＦ（オートフォーカス）等に用いる位相差検出画素を兼ねるように、その受光面の一部を遮光したものである。この場合、例えば、露光量が大きい画素、すなわち、遮光されていない画素から順に蓄積している電荷を読み出すようにする。ただし、画素の読み出し順序は、上述した例に限るものではない。
【００６３】
図１２に示す変形例は、Ｗ，Ｒ，Ｂ，Ｇの４画素でＦＤを共有し、４画素のうちの１画素（同図の場合、Ｗ）が像面位相差ＡＦ等に用いる位相差検出画素を兼ねるように、その受光面の一部を遮光したものである。この場合、例えば、露光量が大きい画素、すなわち、Ｗ，Ｇ，Ｒ，Ｂの順に蓄積している電荷を読み出すようにする。ただし、画素の読み出し順序は、上述した例に限るものではない。
【００６４】
図１３に示す変形例は、ＰＤのサイズを変えることによって露光環境に差異を生じさせた３画素でＦＤを共有するようにしたものである。この場合、例えば、露光量が大きい方の画素、すなわち、ＰＤのサイズか大きい方の画素から順に蓄積している電荷を読み出すようにする。ただし、画素の読み出し順序は、上述した例に限るものではない。
【００６５】
図１４に示す変形例は、ＰＤのサイズは共通であって、露光時間を変えることによって露光環境に差異を生じさせた２画素でＦＤを共有するようにしたものである。この場合、例えば、露光量が大きい方の画素、すなわち、露光時間が長い方の画素から順に蓄積している電荷を読み出すようにする。ただし、画素の読み出し順序は、上述した例に限るものではない。
【００６６】
本技術は、図１１乃至図１４に示された変形例やこれらを組み合わせたものに対しても適用することが可能である。
【００６７】
＜体内情報取得システムへの応用例＞
本開示に係る技術（本技術）は、様々な製品へ応用することができる。例えば、本開示に係る技術は、内視鏡手術システムに適用されてもよい。
【００６８】
図１５は、本開示に係る技術（本技術）が適用され得る、カプセル型内視鏡を用いた患者の体内情報取得システムの概略的な構成の一例を示すブロック図である。
【００６９】
体内情報取得システム１０００１は、カプセル型内視鏡１０１００と、外部制御装置１０２００とから構成される。
【００７０】
カプセル型内視鏡１０１００は、検査時に、患者によって飲み込まれる。カプセル型内視鏡１０１００は、撮像機能及び無線通信機能を有し、患者から自然排出されるまでの間、胃や腸等の臓器の内部を蠕動運動等によって移動しつつ、当該臓器の内部の画像（以下、体内画像ともいう）を所定の間隔で順次撮像し、その体内画像についての情報を体外の外部制御装置１０２００に順次無線送信する。
【００７１】
外部制御装置１０２００は、体内情報取得システム１０００１の動作を統括的に制御する。また、外部制御装置１０２００は、カプセル型内視鏡１０１００から送信されてくる体内画像についての情報を受信し、受信した体内画像についての情報に基づいて、表示装置（図示せず）に当該体内画像を表示するための画像データを生成する。
【００７２】
体内情報取得システム１０００１では、このようにして、カプセル型内視鏡１０１００が飲み込まれてから排出されるまでの間、患者の体内の様子を撮像した体内画像を随時得ることができる。
【００７３】
カプセル型内視鏡１０１００と外部制御装置１０２００の構成及び機能についてより詳細に説明する。
【００７４】
カプセル型内視鏡１０１００は、カプセル型の筐体１０１０１を有し、その筐体１０１０１内には、光源部１０１１１、撮像部１０１１２、画像処理部１０１１３、無線通信部１０１１４、給電部１０１１５、電源部１０１１６、及び制御部１０１１７が収納されている。
【００７５】
光源部１０１１１は、例えばＬＥＤ（light emitting diode）等の光源から構成され、撮像部１０１１２の撮像視野に対して光を照射する。
【００７６】
撮像部１０１１２は、撮像素子、及び当該撮像素子の前段に設けられる複数のレンズからなる光学系から構成される。観察対象である体組織に照射された光の反射光（以下、観察光という）は、当該光学系によって集光され、当該撮像素子に入射する。撮像部１０１１２では、撮像素子において、そこに入射した観察光が光電変換され、その観察光に対応する画像信号が生成される。撮像部１０１１２によって生成された画像信号は、画像処理部１０１１３に提供される。
【００７７】
画像処理部１０１１３は、ＣＰＵ（Central Processing Unit）やＧＰＵ（Graphics Processing Unit）等のプロセッサによって構成され、撮像部１０１１２によって生成された画像信号に対して各種の信号処理を行う。画像処理部１０１１３は、信号処理を施した画像信号を、ＲＡＷデータとして無線通信部１０１１４に提供する。
【００７８】
無線通信部１０１１４は、画像処理部１０１１３によって信号処理が施された画像信号に対して変調処理等の所定の処理を行い、その画像信号を、アンテナ１０１１４Ａを介して外部制御装置１０２００に送信する。また、無線通信部１０１１４は、外部制御装置１０２００から、カプセル型内視鏡１０１００の駆動制御に関する制御信号を、アンテナアンテナ１０１１４Ａを介して受信する。無線通信部１０１１４は、外部制御装置１０２００から受信した制御信号を制御部１０１１７に提供する。
【００７９】
給電部１０１１５は、受電用のアンテナコイル、当該アンテナコイルに発生した電流から電力を再生する電力再生回路、及び昇圧回路等から構成される。給電部１０１１５では、いわゆる非接触充電の原理を用いて電力が生成される。
【００８０】
電源部１０１１６は、二次電池によって構成され、給電部１０１１５によって生成された電力を蓄電する。図１５では、図面が煩雑になることを避けるために、電源部１０１１６からの電力の供給先を示す矢印等の図示を省略しているが、電源部１０１１６に蓄電された電力は、光源部１０１１１、撮像部１０１１２、画像処理部１０１１３、無線通信部１０１１４、及び制御部１０１１７に供給され、これらの駆動に用いられ得る。
【００８１】
制御部１０１１７は、ＣＰＵ等のプロセッサによって構成され、光源部１０１１１、撮像部１０１１２、画像処理部１０１１３、無線通信部１０１１４、及び、給電部１０１１５の駆動を、外部制御装置１０２００から送信される制御信号に従って適宜制御する。
【００８２】
外部制御装置１０２００は、ＣＰＵ、ＧＰＵ等のプロセッサ、又はプロセッサとメモリ等の記憶素子が混載されたマイクロコンピュータ若しくは制御基板等で構成される。外部制御装置１０２００は、カプセル型内視鏡１０１００の制御部１０１１７に対して制御信号を、アンテナ１０２００Ａを介して送信することにより、カプセル型内視鏡１０１００の動作を制御する。カプセル型内視鏡１０１００では、例えば、外部制御装置１０２００からの制御信号により、光源部１０１１１における観察対象に対する光の照射条件が変更され得る。また、外部制御装置１０２００からの制御信号により、撮像条件（例えば、撮像部１０１１２におけるフレームレート、露出値等）が変更され得る。また、外部制御装置１０２００からの制御信号により、画像処理部１０１１３における処理の内容や、無線通信部１０１１４が画像信号を送信する条件（例えば、送信間隔、送信画像数等）が変更されてもよい。
【００８３】
また、外部制御装置１０２００は、カプセル型内視鏡１０１００から送信される画像信号に対して、各種の画像処理を施し、撮像された体内画像を表示装置に表示するための画像データを生成する。当該画像処理としては、例えば現像処理（デモザイク処理）、高画質化処理（帯域強調処理、超解像処理、ＮＲ(Noise reduction)処理及び／又は手ブレ補正処理等）、並びに／又は拡大処理（電子ズーム処理）等、各種の信号処理を行うことができる。外部制御装置１０２００は、表示装置の駆動を制御して、生成した画像データに基づいて撮像された体内画像を表示させる。あるいは、外部制御装置１０２００は、生成した画像データを記録装置（図示せず）に記録させたり、印刷装置（図示せず）に印刷出力させてもよい。
【００８４】
以上、本開示に係る技術が適用され得る体内情報取得システムの一例について説明した。本開示に係る技術は、以上説明した構成のうち、撮像部１０１１２に適用され得る。
【００８５】
＜移動体への応用例＞
本開示に係る技術（本技術）は、様々な製品へ応用することができる。例えば、本開示に係る技術は、自動車、電気自動車、ハイブリッド電気自動車、自動二輪車、自転車、パーソナルモビリティ、飛行機、ドローン、船舶、ロボット等のいずれかの種類の移動体に搭載される装置として実現されてもよい。
【００８６】
図１６は、本開示に係る技術が適用され得る移動体制御システムの一例である車両制御システムの概略的な構成例を示すブロック図である。
【００８７】
車両制御システム１２０００は、通信ネットワーク１２００１を介して接続された複数の電子制御ユニットを備える。図１６に示した例では、車両制御システム１２０００は、駆動系制御ユニット１２０１０、ボディ系制御ユニット１２０２０、車外情報検出ユニット１２０３０、車内情報検出ユニット１２０４０、及び統合制御ユニット１２０５０を備える。また、統合制御ユニット１２０５０の機能構成として、マイクロコンピュータ１２０５１、音声画像出力部１２０５２、及び車載ネットワークＩ／Ｆ（Interface）１２０５３が図示されている。
【００８８】
駆動系制御ユニット１２０１０は、各種プログラムにしたがって車両の駆動系に関連する装置の動作を制御する。例えば、駆動系制御ユニット１２０１０は、内燃機関又は駆動用モータ等の車両の駆動力を発生させるための駆動力発生装置、駆動力を車輪に伝達するための駆動力伝達機構、車両の舵角を調節するステアリング機構、及び、車両の制動力を発生させる制動装置等の制御装置として機能する。
【００８９】
ボディ系制御ユニット１２０２０は、各種プログラムにしたがって車体に装備された各種装置の動作を制御する。例えば、ボディ系制御ユニット１２０２０は、キーレスエントリシステム、スマートキーシステム、パワーウィンドウ装置、あるいは、ヘッドランプ、バックランプ、ブレーキランプ、ウィンカー又はフォグランプ等の各種ランプの制御装置として機能する。この場合、ボディ系制御ユニット１２０２０には、鍵を代替する携帯機から発信される電波又は各種スイッチの信号が入力され得る。ボディ系制御ユニット１２０２０は、これらの電波又は信号の入力を受け付け、車両のドアロック装置、パワーウィンドウ装置、ランプ等を制御する。
【００９０】
車外情報検出ユニット１２０３０は、車両制御システム１２０００を搭載した車両の外部の情報を検出する。例えば、車外情報検出ユニット１２０３０には、撮像部１２０３１が接続される。車外情報検出ユニット１２０３０は、撮像部１２０３１に車外の画像を撮像させるとともに、撮像された画像を受信する。車外情報検出ユニット１２０３０は、受信した画像に基づいて、人、車、障害物、標識又は路面上の文字等の物体検出処理又は距離検出処理を行ってもよい。
【００９１】
撮像部１２０３１は、光を受光し、その光の受光量に応じた電気信号を出力する光センサである。撮像部１２０３１は、電気信号を画像として出力することもできるし、測距の情報として出力することもできる。また、撮像部１２０３１が受光する光は、可視光であっても良いし、赤外線等の非可視光であっても良い。
【００９２】
車内情報検出ユニット１２０４０は、車内の情報を検出する。車内情報検出ユニット１２０４０には、例えば、運転者の状態を検出する運転者状態検出部１２０４１が接続される。運転者状態検出部１２０４１は、例えば運転者を撮像するカメラを含み、車内情報検出ユニット１２０４０は、運転者状態検出部１２０４１から入力される検出情報に基づいて、運転者の疲労度合い又は集中度合いを算出してもよいし、運転者が居眠りをしていないかを判別してもよい。
【００９３】
マイクロコンピュータ１２０５１は、車外情報検出ユニット１２０３０又は車内情報検出ユニット１２０４０で取得される車内外の情報に基づいて、駆動力発生装置、ステアリング機構又は制動装置の制御目標値を演算し、駆動系制御ユニット１２０１０に対して制御指令を出力することができる。例えば、マイクロコンピュータ１２０５１は、車両の衝突回避あるいは衝撃緩和、車間距離に基づく追従走行、車速維持走行、車両の衝突警告、又は車両のレーン逸脱警告等を含むＡＤＡＳ（Advanced Driver Assistance System）の機能実現を目的とした協調制御を行うことができる。
【００９４】
また、マイクロコンピュータ１２０５１は、車外情報検出ユニット１２０３０又は車内情報検出ユニット１２０４０で取得される車両の周囲の情報に基づいて駆動力発生装置、ステアリング機構又は制動装置等を制御することにより、運転者の操作に拠らずに自律的に走行する自動運転等を目的とした協調制御を行うことができる。
【００９５】
また、マイクロコンピュータ１２０５１は、車外情報検出ユニット１２０３０で取得される車外の情報に基づいて、ボディ系制御ユニット１２０２０に対して制御指令を出力することができる。例えば、マイクロコンピュータ１２０５１は、車外情報検出ユニット１２０３０で検知した先行車又は対向車の位置に応じてヘッドランプを制御し、ハイビームをロービームに切り替える等の防眩を図ることを目的とした協調制御を行うことができる。
【００９６】
音声画像出力部１２０５２は、車両の搭乗者又は車外に対して、視覚的又は聴覚的に情報を通知することが可能な出力装置へ音声及び画像のうちの少なくとも一方の出力信号を送信する。図１６の例では、出力装置として、オーディオスピーカ１２０６１、表示部１２０６２及びインストルメントパネル１２０６３が例示されている。表示部１２０６２は、例えば、オンボードディスプレイ及びヘッドアップディスプレイの少なくとも一つを含んでいてもよい。
【００９７】
図１７は、撮像部１２０３１の設置位置の例を示す図である。
【００９８】
図１７では、撮像部１２０３１として、撮像部１２１０１、１２１０２、１２１０３、１２１０４、１２１０５を有する。
【００９９】
撮像部１２１０１、１２１０２、１２１０３、１２１０４、１２１０５は、例えば、車両１２１００のフロントノーズ、サイドミラー、リアバンパ、バックドア及び車室内のフロントガラスの上部等の位置に設けられる。フロントノーズに備えられる撮像部１２１０１及び車室内のフロントガラスの上部に備えられる撮像部１２１０５は、主として車両１２１００の前方の画像を取得する。サイドミラーに備えられる撮像部１２１０２、１２１０３は、主として車両１２１００の側方の画像を取得する。リアバンパ又はバックドアに備えられる撮像部１２１０４は、主として車両１２１００の後方の画像を取得する。車室内のフロントガラスの上部に備えられる撮像部１２１０５は、主として先行車両又は、歩行者、障害物、信号機、交通標識又は車線等の検出に用いられる。
【０１００】
なお、図１７には、撮像部１２１０１ないし１２１０４の撮影範囲の一例が示されている。撮像範囲１２１１１は、フロントノーズに設けられた撮像部１２１０１の撮像範囲を示し、撮像範囲１２１１２，１２１１３は、それぞれサイドミラーに設けられた撮像部１２１０２，１２１０３の撮像範囲を示し、撮像範囲１２１１４は、リアバンパ又はバックドアに設けられた撮像部１２１０４の撮像範囲を示す。例えば、撮像部１２１０１ないし１２１０４で撮像された画像データが重ね合わせられることにより、車両１２１００を上方から見た俯瞰画像が得られる。
【０１０１】
撮像部１２１０１ないし１２１０４の少なくとも１つは、距離情報を取得する機能を有していてもよい。例えば、撮像部１２１０１ないし１２１０４の少なくとも１つは、複数の撮像素子からなるステレオカメラであってもよいし、位相差検出用の画素を有する撮像素子であってもよい。
【０１０２】
例えば、マイクロコンピュータ１２０５１は、撮像部１２１０１ないし１２１０４から得られた距離情報を基に、撮像範囲１２１１１ないし１２１１４内における各立体物までの距離と、この距離の時間的変化（車両１２１００に対する相対速度）を求めることにより、特に車両１２１００の進行路上にある最も近い立体物で、車両１２１００と略同じ方向に所定の速度（例えば、０km/h以上）で走行する立体物を先行車として抽出することができる。さらに、マイクロコンピュータ１２０５１は、先行車の手前に予め確保すべき車間距離を設定し、自動ブレーキ制御（追従停止制御も含む）や自動加速制御（追従発進制御も含む）等を行うことができる。このように運転者の操作に拠らずに自律的に走行する自動運転等を目的とした協調制御を行うことができる。
【０１０３】
例えば、マイクロコンピュータ１２０５１は、撮像部１２１０１ないし１２１０４から得られた距離情報を元に、立体物に関する立体物データを、２輪車、普通車両、大型車両、歩行者、電柱等その他の立体物に分類して抽出し、障害物の自動回避に用いることができる。例えば、マイクロコンピュータ１２０５１は、車両１２１００の周辺の障害物を、車両１２１００のドライバが視認可能な障害物と視認困難な障害物とに識別する。そして、マイクロコンピュータ１２０５１は、各障害物との衝突の危険度を示す衝突リスクを判断し、衝突リスクが設定値以上で衝突可能性がある状況であるときには、オーディオスピーカ１２０６１や表示部１２０６２を介してドライバに警報を出力することや、駆動系制御ユニット１２０１０を介して強制減速や回避操舵を行うことで、衝突回避のための運転支援を行うことができる。
【０１０４】
撮像部１２１０１ないし１２１０４の少なくとも１つは、赤外線を検出する赤外線カメラであってもよい。例えば、マイクロコンピュータ１２０５１は、撮像部１２１０１ないし１２１０４の撮像画像中に歩行者が存在するか否かを判定することで歩行者を認識することができる。かかる歩行者の認識は、例えば赤外線カメラとしての撮像部１２１０１ないし１２１０４の撮像画像における特徴点を抽出する手順と、物体の輪郭を示す一連の特徴点にパターンマッチング処理を行って歩行者か否かを判別する手順によって行われる。マイクロコンピュータ１２０５１が、撮像部１２１０１ないし１２１０４の撮像画像中に歩行者が存在すると判定し、歩行者を認識すると、音声画像出力部１２０５２は、当該認識された歩行者に強調のための方形輪郭線を重畳表示するように、表示部１２０６２を制御する。また、音声画像出力部１２０５２は、歩行者を示すアイコン等を所望の位置に表示するように表示部１２０６２を制御してもよい。
【０１０５】
以上、本開示に係る技術が適用され得る車両制御システムの一例について説明した。本開示に係る技術は、以上説明した構成のうち、撮像部１２０３１に適用され得る。
【０１０６】
本技術の実施の形態は、上述した実施の形態に限定されるものではなく、本技術の要旨を逸脱しない範囲において種々の変更が可能である。
【０１０７】
本技術は以下のような構成も取ることができる。
（１）
入射光に応じた光電変換によって電荷を発生し、発生した前記電荷を一時的に蓄える光電変換部と、
前記光電変換部毎に設けられ、前記光電変換部に一時的に蓄積されている前記電荷を読み出す読み出し部と、
前記読み出し部に対して駆動パルスを印可する駆動制御部と、
前記読み出し部によって前記光電変換部から読み出された前記電荷を保持する、複数の前記光電変換部によって共有される共有保持部とを備え、
前記駆動制御部は、前記共有保持部を共有する複数の光電変換部のうち、前記電荷の読み出し対象とする選択光電変換部から前記共有保持部に前記電荷を読み出す場合、
前記選択光電変換部に対応する前記読み出し部に対して第１のパルスを印可するとともに、
前記共有保持部と容量結合する部位に対して、前記第１のパルスとは逆極性であって、且つ、パルス期間が前記第１のパルスのパルス期間の少なくとも一部と重複する第２のパルスを印可する
固体撮像装置。
（２）
前記共有保持部を所定の電圧に設定するリセット部と、
前記共有保持部の信号電荷を信号電圧として伝送する信号線とをさらに備え、
前記駆動制御部は、前記共有保持部を共有する複数の光電変換部のうちの前記選択光電変換部から前記共有保持部に前記電荷を読み出す場合、
前記選択光電変換部に対応する前記読み出し部に対して第１のパルスを印可するとともに、
前記共有保持部を共有する前記複数の光電変換部のうちの前記選択光電変換部以外のものに対応する前記読み出し部、前記リセット部、または、前記信号線のうちの少なくとも一つに対して前記第２のパルスを印可する
前記（１）に記載の固体撮像装置。
（３）
前記第２のパルスは、前記第１のパルスとは逆極性であって、且つ、パルス期間が前記第１のパルスのパルス期間と一致する
前記（１）または（２）に記載の固体撮像装置。
（４）
前記第２のパルスは、前記第１のパルスとは逆極性であって、且つ、パルス期間が前記第１のパルスのパルス期間を包含する
前記（１）または（２）に記載の固体撮像装置。
（５）
前記第２のパルスは、前記第１のパルスとは逆極性であって、且つ、パルス期間がＰ相データ確定タイミングからＤ相データ確定タイミングまでの期間を包含する
前記（１）または（２）に記載の固体撮像装置。
（６）
前記共有保持部は、露光環境が異なる複数の光電変換部により共有される
前記（１）から（５）のいずれかに記載の固体撮像装置。
（７）
露光環境が異なる複数の光電変換部は、露光量が多いものから順に前記電荷が前記共有保持部に読み出される
前記（６）に記載の固体撮像装置。
（８）
入射光に応じた光電変換によって電荷を発生し、発生した前記電荷を一時的に蓄える光電変換部と、
前記光電変換部毎に設けられ、前記光電変換部に一時的に蓄積されている前記電荷を読み出す読み出し部と、
前記読み出し部に対して駆動パルスを印可する駆動制御部と、
前記読み出し部によって前記光電変換部から読み出された前記電荷を保持する、複数の前記光電変換部によって共有される共有保持部とを備える固体撮像装置の駆動方法において、
前記共有保持部を共有する複数の光電変換部のうち、前記電荷の読み出し対象とする選択光電変換部から前記共有保持部に前記電荷を読み出す場合、
前記駆動制御部による、
前記選択光電変換部に対応する前記読み出し部に対して第１のパルスを印可するとともに、
前記共有保持部と容量結合する部位に対して、前記第１のパルスとは逆極性であって、且つ、パルス期間が前記第１のパルスのパルス期間の少なくとも一部と重複する第２のパルスを印可する
駆動方法。
（９）
固体撮像装置が搭載された電子機器において、
前記固体撮像装置は、
入射光に応じた光電変換によって電荷を発生し、発生した前記電荷を一時的に蓄える光電変換部と、
前記光電変換部毎に設けられ、前記光電変換部に一時的に蓄積されている前記電荷を読み出す読み出し部と、
前記読み出し部に対して駆動パルスを印可する駆動制御部と、
前記読み出し部によって前記光電変換部から読み出された前記電荷を保持する、複数の前記光電変換部によって共有される共有保持部とを備え、
前記駆動制御部は、前記共有保持部を共有する複数の光電変換部のうち、前記電荷の読み出し対象とする選択光電変換部から前記共有保持部に前記電荷を読み出す場合、
前記選択光電変換部に対応する前記読み出し部に対して第１のパルスを印可するとともに、
前記共有保持部と容量結合する部位に対して、前記第１のパルスとは逆極性であって、且つ、パルス期間が前記第１のパルスのパルス期間の少なくとも一部と重複する第２のパルスを印可する
電子機器。
【符号の説明】
【０１０８】
１１  ＰＤ，  １２  読出しゲート，  １３  ＦＤ，  １４  アンプゲート，  １５  選択ゲート，  １６  信号線，  １７  リセットゲート
【図１】
2018093392.tif 000003
【図２】
2018093392.tif 000004
【図３】
2018093392.tif 000005
【図４】
2018093392.tif 000006
【図５】
2018093392.tif 000007
【図６】
2018093392.tif 000008
【図７】
2018093392.tif 000009
【図８】
2018093392.tif 000010
【図９】
2018093392.tif 000011
【図１０】
2018093392.tif 000012
【図１１】
2018093392.tif 000013
【図１２】
2018093392.tif 000014
【図１３】
2018093392.tif 000015
【図１４】
2018093392.tif 000016
【図１５】
2018093392.tif 000017
【図１６】
2018093392.tif 000018
【図１７】
2018093392.tif 000019